(57)【要約】【課題】  照明器具の光源の点灯状態を変化させる各機能の操作を簡易な構成で行なうことができ、且つ安価で施工性に優れた照明システムを提供する。【解決手段】  主スイッチ１をオンした状態で、補助スイッチ２を１回操作すると、補助スイッチ２は、点灯装置３へ供給する電源の導通・遮断を所定時間内に複数回繰り返し、制御回路４３は、この点灯装置３へ供給される電源の導通・遮断状態を電源回路４４を介して検出し、検出した電源の導通・遮断の繰り返し動作が、補助スイッチ２の動作による電源の導通・遮断の繰り返し動作と一致する場合に、ランプＬａの累積点灯時間のカウント値をリセットし、このカウント値に応じてランプＬａの劣化による光束減退を補正する。【選択図】図１
2007005256.tif 000002
【特許請求の範囲】
【請求項１】
少なくとも１つの光源を点灯させる点灯装置を具備した少なくとも１つの照明器具と、
点灯装置への電源供給を導通・遮断する主スイッチと、
操作部と、操作部からの入力に応じて点灯装置へ供給する電源の状態を所定の状態に変化させる切替判定部とを具備した補助スイッチとを備え、
点灯装置は、点灯装置へ供給される電源の状態を検出する電源検出手段と、検出した電源の状態変化が補助スイッチの動作による前記所定の状態変化と一致する場合に光源の点灯状態を変化させる点灯制御手段とを備えることを特徴とする照明システム。
【請求項２】
前記補助スイッチは、点灯装置への電源供給を導通・遮断する接点を備え、前記切替判定部は、前記操作部を１回操作されると、前記接点をオン・オフすることで前記点灯装置へ供給する電源の導通・遮断を所定時間内に複数回繰り返し、前記電源検出手段は、点灯装置へ供給される電源の導通・遮断状態を検出し、前記点灯制御手段は、検出した電源の導通・遮断の繰り返し動作が、前記補助スイッチの動作による電源の導通・遮断の繰り返し動作と一致する場合に光源の点灯状態を変化させることを特徴とする請求項１記載の照明システム。
【請求項３】
前記補助スイッチは、前記点灯装置への電源供給を導通・遮断する接点と、前記接点のオフ時に電源電圧の位相角に応じて点灯装置へ電源を供給する位相制御手段を備え、前記切替判定部は、前記操作部を１回操作されると、前記接点のオン・オフを所定時間内に複数回繰り返し、前記電源検出手段は、前記接点のオン時に点灯装置へ供給される電源の状態と、前記接点のオフ時に点灯装置へ供給される位相制御された電源の状態とを検出し、前記点灯制御手段は、検出した電源の状態変化が、前記補助スイッチの動作による電源の状態変化と一致する場合に光源の点灯状態を変化させることを特徴とする請求項１記載の照明システム。
【請求項４】
前記補助スイッチは、前記点灯装置への電源供給を導通・遮断する接点と、前記接点のオフ時に電源を半波整流して点灯装置へ供給するダイオードとを備え、前記切替判定部は、前記操作部を１回操作されると、前記接点のオン・オフを所定時間内に複数回繰り返し、前記電源検出手段は、前記接点のオン時に点灯装置へ供給される電源の状態と、前記接点のオフ時に点灯装置へ供給される半波整流された電源の状態とを検出し、前記点灯制御手段は、検出した電源の状態変化が、前記補助スイッチの動作による電源の状態変化と一致する場合に光源の点灯状態を変化させることを特徴とする請求項１記載の照明システム。
【請求項５】
前記補助スイッチは、前記操作部の操作に応じて、前記点灯装置へ供給する電源電圧の振幅を変化させる手段を備え、前記切替判定部は、前記操作部を１回操作されると、前記電源電圧の振幅を所定時間内に複数回変化させ、前記電源検出手段は、前記点灯装置へ供給される電源電圧の振幅変化を検出し、前記点灯制御手段は、検出した電源の振幅変化が、前記補助スイッチの動作による電源の振幅変化と一致する場合に光源の点灯状態を変化させることを特徴とする請求項１記載の照明システム。
【請求項６】
前記補助スイッチは、前記操作部から入力があった時点から計時を開始するタイマー部と、前記点灯装置への電源供給を導通・遮断する接点を具備したリレーとを備え、前記切替判定部はタイマー部の計時動作および前記主スイッチの操作に基づいてリレーの接点をオン・オフすることを特徴とする請求項１乃至５いずれか記載の照明システム。
【請求項７】
前記点灯装置は、光源の累積点灯時間をカウントし、累積点灯時間のカウント値に応じて光源の劣化による光束減退を補正する手段を備え、前記電源検出手段で検出した電源の状態変化が前記補助スイッチの動作による所定の状態変化と一致する場合に、光源の累積点灯時間のカウント値をリセットすることを特徴とする請求項１乃至６いずれか記載の照明システム。
【請求項８】
前記補助スイッチは、リセット動作が完了したことを音により報知する手段を前記操作部の近傍に備えることを特徴とする請求項７記載の照明システム。
【請求項９】
前記光源は放電ランプであり、前記点灯装置は、前記電源検出手段で検出した電源の状態変化が前記補助スイッチの動作による所定の状態変化と一致する場合に、放電ランプの照度補正カーブを、補助スイッチの動作に対応した照度補正カーブに切り替えて、放電ランプの光色の違いによる照度補正のずれを補正することを特徴とする請求項１乃至６いずれか記載の照明システム。
【請求項１０】
前記光源は放電ランプであり、前記点灯装置は、複数の放電ランプに対応可能で、前記電源検出手段で検出した電源の状態変化が前記補助スイッチの動作による所定の状態変化と一致する場合に、放電ランプの照度補正カーブを、補助スイッチの動作に対応した照度補正カーブに切り替えて、放電ランプの種類の違いによる照度補正のずれを補正することを特徴とする請求項１乃至６いずれか記載の照明システム。
【請求項１１】
前記光源は放電ランプであり、前記点灯装置は、前記電源検出手段で検出した電源の状態変化が前記補助スイッチの動作による所定の状態変化と一致する場合に、放電ランプの照度補正値を、補助スイッチの動作に対応した照度補正値に切り替えることを特徴とする請求項１乃至６いずれか記載の照明システム。
【発明の詳細な説明】
【技術分野】
【０００１】
本発明は、照明システムに関するものである。
【背景技術】
【０００２】
近年、省エネルギーのニーズの高まりとともに、照明分野においても高効率なインバータ回路を採用した点灯装置が提供されており、その中でも、ランプの累積点灯時間をカウントし、その累積点灯時間のカウント値に応じて放電ランプの光束減退特性を利用してランプへの供給電力を変化させ、ランプ点灯初期には余剰光束を抑えることによって、照度を一定に保ちながら消費電力を低減させる照度補正機能を内蔵した放電灯点灯装置が提供されている。この照度補正機能によってランプの点灯状態を変化させる点灯装置を搭載した照明器具は照明制御用の信号伝送線が不要であり、電力線のみを接続すればよいため、省施工で安価な照明システムを構築できる。
【０００３】
また、この種の照明器具には、ランプを交換した際にランプ累積点灯時間のカウント値を初期値にリセットする必要があり、このため、照明器具の本体にリセットスイッチを設けて、このリセットスイッチが操作された場合にランプ累積点灯時間のカウント値をリセットする機能が設けられていた。
【０００４】
しかし、照明器具は通常、天井面に取り付けられるため、このリセット作業も天井付近で行わなければならず、作業性に問題があった。また、事務所のように複数台の照明器具が取り付けられたフロアにおいて、すべての照明器具のランプを新品のランプに交換する場合、ランプ累積点灯時間のリセット作業を各照明器具毎に行わなければならず、作業性はさらに悪化していた。
【０００５】
このような問題点に対し、例えば、電源スイッチをオン・オフすることで所定時間内に電源の導通・遮断を繰り返すとランプ累積点灯時間をリセットできる照明システムがあり、照明器具毎にリセット作業を行う必要がなく、同一の電源系統に接続された複数の照明器具の累積点灯時間を一括してリセットできる。（例えば、特許文献１参照）。
【０００６】
また、ランプ累積点灯時間のリセット作業の確実性を向上させるために、ワイアレスリモコンや伝送信号線を用いてリセット信号を送信し、このリセット信号を受信した照明器具ではランプ累積点灯時間をリセットする照明システムもある。（例えば、特許文献２参照）。
【０００７】
上記例では、ランプ累積点灯時間のリセット機能について説明したが、他にも、調光機能や、照度補正機能等のように、ランプの点灯状態を変化させる様々な機能を備えた照明システムがある。
【特許文献１】特開２０００−２２３２９６号公報
【特許文献２】特開２００４−５５４２４号公報
【発明の開示】
【発明が解決しようとする課題】
【０００８】
しかしながら、上記特許文献１では、電源環境の異常による瞬時停電等とリセット動作による電源遮断とを区別し、誤動作を防止するために、リセットする際に電源の導通・遮断の繰り返し回数を増やす等、電源スイッチの操作を複雑にする必要がある。このため、使用者が操作方法の混乱をきたす恐れがあった。
【０００９】
また、上記特許文献２では、照明器具毎にリセット信号を受信する手段が必要であるため照明器具が高価になり、さらに伝送信号線を用いる場合は信号線の配線が必要となって、施工性に問題があった。
【００１０】
また、調光機能や、照度補正機能等の様々な機能についても、操作に必要な構成が複雑、高価であったり、施工性等に問題があった
本発明は、上記事由に鑑みてなされたものであり、その目的は、照明器具の光源の点灯状態を変化させる各機能の操作を簡易な構成で行なうことができ、且つ安価で施工性に優れた照明システムを提供することにある。
【課題を解決するための手段】
【００１１】
請求項１の発明は、少なくとも１つの光源を点灯させる点灯装置を具備した少なくとも１つの照明器具と、点灯装置への電源供給を導通・遮断する主スイッチと、操作部と、操作部からの入力に応じて点灯装置へ供給する電源の状態を所定の状態に変化させる切替判定部とを具備した補助スイッチとを備え、点灯装置は、点灯装置へ供給される電源の状態を検出する電源検出手段と、検出した電源の状態変化が補助スイッチの動作による前記所定の状態変化と一致する場合に光源の点灯状態を変化させる点灯制御手段とを備えることを特徴とする。
【００１２】
この発明によれば、補助スイッチを１回操作するだけで点灯装置へ供給する電源の状態を所定の状態に変化させ、この電源状態の変化を検出した点灯装置が光源の点灯状態を変化させるので、照明器具の光源の点灯状態を変化させる各機能の操作を簡易な構成で行なうことができ、且つ安価で施工性に優れた照明システムを提供することができる。
【００１３】
請求項２の発明は、請求項１において、前記補助スイッチは、点灯装置への電源供給を導通・遮断する接点を備え、前記切替判定部は、前記操作部を１回操作されると、前記接点をオン・オフすることで前記点灯装置へ供給する電源の導通・遮断を所定時間内に複数回繰り返し、前記電源検出手段は、点灯装置へ供給される電源の導通・遮断状態を検出し、前記点灯制御手段は、検出した電源の導通・遮断の繰り返し動作が、前記補助スイッチの動作による電源の導通・遮断の繰り返し動作と一致する場合に光源の点灯状態を変化させることを特徴とする。
【００１４】
この発明によれば、簡易な構成で点灯装置へ供給する電源の状態を所定の状態に変化させることができる。
【００１５】
請求項３の発明は、請求項１において、前記補助スイッチは、前記点灯装置への電源供給を導通・遮断する接点と、前記接点のオフ時に電源電圧の位相角に応じて前記点灯装置へ電源を供給する位相制御手段を備え、前記切替判定部は、前記操作部を１回操作されると、前記接点のオン・オフを所定時間内に複数回繰り返し、前記電源検出手段は、前記接点のオン時に点灯装置へ供給される電源の状態と、前記接点のオフ時に点灯装置へ供給される位相制御された電源の状態とを検出し、前記点灯制御手段は、検出した電源の状態変化が、前記補助スイッチの動作による電源の状態変化と一致する場合に光源の点灯状態を変化させることを特徴とする。
【００１６】
この発明によれば、接点オフの間でも位相制御手段を介して位相制御電圧が点灯装置に供給されるため、接点オフ時に点灯装置の制御用電源を生成するのに必要な電源を容易に得ることができる。
【００１７】
請求項４の発明は、請求項１において、前記補助スイッチは、前記点灯装置への電源供給を導通・遮断する接点と、前記接点のオフ時に電源を半波整流して点灯装置へ供給するダイオードとを備え、前記切替判定部は、前記操作部を１回操作されると、前記接点のオン・オフを所定時間内に複数回繰り返し、前記電源検出手段は、前記接点のオン時に点灯装置へ供給される電源の状態と、前記接点のオフ時に点灯装置へ供給される半波整流された電源の状態とを検出し、前記点灯制御手段は、検出した電源の状態変化が、前記補助スイッチの動作による電源の状態変化と一致する場合に光源の点灯状態を変化させることを特徴とする。
【００１８】
この発明によれば、接点オフの間でもダイオードを介して半整流電圧が点灯装置に供給されるため、接点オフ時に点灯装置の制御用電源を生成するのに必要な電源を容易に得ることができる。
【００１９】
請求項５の発明は、請求項１において、前記補助スイッチは、前記操作部の操作に応じて、前記点灯装置へ供給する電源電圧の振幅を変化させる手段を備え、前記切替判定部は、前記操作部を１回操作されると、前記電源電圧の振幅を所定時間内に複数回変化させ、前記電源検出手段は、前記点灯装置へ供給される電源電圧の振幅変化を検出し、前記点灯制御手段は、検出した電源の振幅変化が、前記補助スイッチの動作による電源の振幅変化と一致する場合に光源の点灯状態を変化させることを特徴とする。
【００２０】
この発明によれば、点灯装置の制御用電源を生成するのに必要な電源を常に容易に得ることができる。
【００２１】
請求項６の発明は、請求項１乃至５いずれかにおいて、前記補助スイッチは、前記操作部から入力があった時点から計時を開始するタイマー部と、前記点灯装置への電源供給を導通・遮断する接点を具備したリレーとを備え、前記切替判定部はタイマー部の計時動作および前記主スイッチの操作に基づいてリレーの接点をオン・オフすることを特徴とする。
【００２２】
この発明によれば、簡易な構成で点灯装置へ供給する電源の状態を所定の状態に変化させることができる。
【００２３】
請求項７の発明は、請求項１乃至６いずれかにおいて、前記点灯装置は、光源の累積点灯時間をカウントし、累積点灯時間のカウント値に応じて光源の劣化による光束減退を補正する手段を備え、前記電源検出手段で検出した電源の状態変化が前記補助スイッチの動作による所定の状態変化と一致する場合に、光源の累積点灯時間のカウント値をリセットすることを特徴とする。
【００２４】
この発明によれば、光源を交換して新品の光源を装着した場合に、補助スイッチを１回操作するだけで光源の累積点灯時間のカウント値を容易にリセットすることができ、光束減退を適切に補正することができる。
【００２５】
請求項８の発明は、請求項７において、前記補助スイッチは、リセット動作が完了したことを音により報知する手段を前記操作部の近傍に備えることを特徴とする。
【００２６】
この発明によれば、リセットが完了したか否かを離れたところにいる使用者も音で確認でき、システムとしての信頼性を向上させることができる。
【００２７】
請求項９の発明は、請求項１乃至６いずれかにおいて、前記光源は放電ランプであり、前記点灯装置は、前記電源検出手段で検出した電源の状態変化が前記補助スイッチの動作による所定の状態変化と一致する場合に、放電ランプの照度補正カーブを、補助スイッチの動作に対応した照度補正カーブに切り替えて、放電ランプの光色の違いによる照度補正のずれを補正することを特徴とする。
【００２８】
この発明によれば、照明器具で使用している放電ランプの光色に応じて照度補正カーブを選択することができ、よりきめ細かい最適な照度補正制御を行なうことができる。
【００２９】
請求項１０の発明は、請求項１乃至６いずれかにおいて、前記光源は放電ランプであり、前記点灯装置は、複数の放電ランプに対応可能で、前記電源検出手段で検出した電源の状態変化が前記補助スイッチの動作による所定の状態変化と一致する場合に、放電ランプの照度補正カーブを、補助スイッチの動作に対応した照度補正カーブに切り替えて、放電ランプの種類の違いによる照度補正のずれを補正することを特徴とする。
【００３０】
この発明によれば、照明器具で使用している放電ランプの種類に応じて照度補正カーブを選択することができ、よりきめ細かい最適な照度補正制御を行なうことができる。
【００３１】
請求項１１の発明は、請求項１乃至６いずれかにおいて、前記光源は放電ランプであり、前記点灯装置は、前記電源検出手段で検出した電源の状態変化が前記補助スイッチの動作による所定の状態変化と一致する場合に、放電ランプの照度補正値を、補助スイッチの動作に対応した照度補正値に切り替えることを特徴とする。
【００３２】
この発明によれば、照明器具の使用環境に応じて照度補正値を選択することができ、よりきめ細かい最適な照度補正制御を行なうことができて、省エネ効果を高めることが可能となる。
【発明の効果】
【００３３】
以上説明したように、本発明では、補助スイッチを１回操作するだけで点灯装置へ供給する電源の状態を所定の状態に変化させ、この電源状態の変化を検出した点灯装置が光源の点灯状態を変化させるので、照明器具の光源の点灯状態を変化させる各機能の操作を簡易な構成で行なうことができ、且つ安価で施工性に優れた照明システムを提供することができるという効果がある。
【発明を実施するための最良の形態】
【００３４】
以下、本発明の実施の形態を図面に基づいて説明する。
【００３５】
（実施形態１）
図１は本実施形態の照明システムの構成を示しており、照明システムは、交流電源Ｖａｃの一方の出力に直列接続された主スイッチ１と補助スイッチ２との直列回路と、主スイッチ１，補助スイッチ２を介して交流電源Ｖａｃに接続された照明器具３とから構成される。
【００３６】
照明器具３は、点灯装置４と、点灯装置４によって点灯電力を供給されるランプＬａとから構成される。図２は照明器具３の分解斜視図を示しており、照明器具３は、本体３１、反射板３２を備え、本体３１には、点灯装置４，電源端子台３３，ランプソケット３４とが取り付けられている。交流電源Ｖａｃから照明器具３に電源を供給する電源線は電源端子台３３に接続され、電源端子台３３から点灯装置４に電源を供給している。本体３１の両端にはランプソケット３４が取り付けられてランプＬａ，Ｌａを保持するとともに、点灯装置４からの電力をランプＬａ，Ｌａへ供給している。また、本体３１には取り付け孔３５が設けられており、天井面に設置されたボルト９０を取り付け孔３５に挿通させて、座金９１，ナット９２で本体３１を天井面に固定する。さらに、照明器具３の意匠性や配光性を向上させるために反射板３２をツマミねじ９３で本体３１に取り付けた後、ランプＬａ，Ｌａをランプソケット３４に装着する。
【００３７】
点灯装置４は、整流回路４０と、チョッパ回路４１と、インバータ回路４２と、制御回路４３と、電源回路４４と、無負荷検出回路４５と、カウンタ４６と、記憶回路４７とから構成され、交流電源Ｖａｃに主スイッチ１，補助スイッチ２を介して接続される。そして、ダイオードブリッジで構成される整流回路４０が主スイッチ１，補助スイッチ２を介して入力される交流電源Ｖａｃの出力を全波整流し、チョッパ回路４１はスイッチング素子を具備して該スイッチング素子をオン・オフすることで整流出力を所望の直流電圧に変換し、インバータ回路４２はスイッチング素子を具備して該スイッチング素子を高周波でオン・オフさせることでチョッパ回路４１が出力する直流電圧を高周波電圧に変換してランプＬａに供給して点灯させる。
【００３８】
制御回路４３は、電源回路４４、無負荷検出回路４５、カウンタ４６、記憶回路４７からの各信号に応じてチョッパ回路４１、インバータ回路４２が具備する各スイッチング素子のスイッチング動作を制御することで、チョッパ回路４１、インバータ回路４２の各出力を制御しており、例えば、インバータ回路４２のスイッチング素子のスイッチング周波数を変化させることでランプＬａの調光比を制御する。
【００３９】
無負荷検出回路４５は、負荷であるランプＬａが点灯装置４の出力に取り付けられているか否かを検出しており、ランプＬａが点灯装置４の出力に取り付けられていない無負荷状態を検出すると、制御回路４３は、チョッパ回路４１、インバータ回路４２の各スイッチング動作を停止させる。
【００４０】
この照明システムでは、主スイッチ１の１回の操作毎に、交流電源Ｖａｃ−照明器具３間の電源線の導通と遮断とを交互に切り替え、ランプＬａの点灯・消灯を制御する。
【００４１】
そして、制御回路４３は、電源回路４４からの電源供給があり、且つ無負荷検出回路４５が負荷を検出している期間をランプ累積点灯時間として計時し、記憶回路４７にランプ累積点灯時間を記憶させておく。この計時動作はカウンタ４６のカウント値に基づいて行われる。なお、電源回路４４からの電源供給が無いとき、あるいは無負荷検出回路４５が無負荷状態を検出しているときは、ランプ累積点灯時間の計時を停止する。
【００４２】
ランプＬａが、例えば蛍光ランプのような放電灯の場合、放電管内に塗布された蛍光体の劣化によって、ランプＬａの使用時間とともにランプＬａの光束が減退し、照明器具３の明るさは徐々に低下していく。制御回路４３は、上記ランプ累積点灯時間に基づいて調光比を決定し、その調光比でランプＬａが点灯するようにインバータ回路４２のスイッチング動作を制御する。調光比の決定は、制御回路４３においてランプ累積点灯時間と調光比とを関連付けたデータテーブルを用いてもよいし、あるいは所定の演算式により算出してもよく、ランプ累積点灯時間に応じて減少する放電灯の光束（光束減退）を補うように、徐々に調光比を上げていくように制御すればよい。このようにして、ランプＬａの累積点灯時間に依らず、光出力を一定にしており、点灯装置４が行うこの動作を、以下、初期照度補正動作と呼ぶ。
【００４３】
電源回路４４は、交流電源Ｖａｃからの電源供給の有無を検出すると同時に、交流電源Ｖａｃが供給されている状態では制御回路４３を動作させるための制御用電源Ｖｃｃを供給し、制御回路４３は、電源回路４４から制御用電源Ｖｃｃの供給が無くなればチョッパ回路４１、インバータ回路４２の各スイッチング動作を停止させる。また、電源回路４４は、交流電源Ｖａｃからの電源供給が途絶えても、制御回路４３，記憶回路４７がある程度の時間は動作可能な容量を備えており、この時間は、後述する記憶回路４７へのデータ書き込み動作が完了する時間よりも長くする必要がある。制御回路４３は、計時したランプ累積点灯時間を記憶回路４７へ随時書き込み、主スイッチ１をオフ操作しても、電源回路４４の容量によって、それまで計時したランプ累積点灯時間を記憶回路４７に書き込み、保持することができる。そして、主スイッチ１をオン操作すると、制御回路４３は記憶回路４７からランプ累積点灯時間を読み出し、そのランプ累積点灯時間に基づいて初期照度補正動作を継続する。
【００４４】
図３は電源回路４４の構成例を示し、電源回路４４は、整流回路４０の高圧側出力と低圧側出力（グランドレベル）との間に接続したダイオード４４ａと抵抗４４ｂとツェナダイオード４４ｃとの直列回路と、ツェナダイオード４４ｃに並列接続したコンデンサ４４ｄと、整流回路４０の高圧側出力とグランドレベルとの間に接続した抵抗４４ｅ，４４ｆの直列回路と、コンデンサ４４ｄに並列接続した抵抗４４ｇ，４４ｈの直列回路と、抵抗４４ｅ，４４ｆの接続中点を非反転入力端子に接続し、抵抗４４ｇ，４４ｈの接続中点を反転入力端子に接続したコンパレータ４４ｉと、コンパレータ４４ｉの出力端子とグランドレベルとの間に接続した抵抗４４ｊとコンデンサ４４ｋとの直列回路と、コンデンサ４４ｄに並列接続した抵抗４４ｌ，４４ｍの直列回路と、抵抗４４ｌ，４４ｍの接続中点を非反転入力端子に接続し、コンデンサ４４ｋの両端電圧を反転入力端子に接続したコンパレータ４４ｎとから構成される。
【００４５】
以下、図４（ａ）〜（ｇ）に示す各部の波形図を用いて、電源回路４４の動作を説明する。まず、整流回路４０の全波整流出力からツェナダイオード４４ｃによって生成された所定の直流電圧はコンデンサ４４ｄで平滑され、制御用電源Ｖｃｃとして制御回路４３，記憶回路４７に供給されるとともに、抵抗４４ｇ，４４ｈ、抵抗４４ｌ，４４ｍによって分圧されて、基準電圧Ｖｒｅｆ１，Ｖｒｅｆ２を各々生成し、コンパレータ４４ｉ，４４ｎに入力される。
【００４６】
また、補助スイッチ２のリレーの接点２４がオン状態であれば、主スイッチ１，補助スイッチ２を介して交流電源Ｖａｃ（図４（ａ））を入力された整流回路４０は全波整流電圧を出力し、コンパレータ４４ｉは全波整流電圧を抵抗４４ｅ，４４ｆで分圧した検出電圧Ｖｓ１と基準電圧Ｖｒｅｆ１とを比較し（図４（ｄ））、その出力は、検出電圧Ｖｓ１が基準電圧Ｖｒｅｆ１より大きい期間だけＨレベルとなる交流電源Ｖａｃの位相に同期した矩形波信号となる（図４（ｅ））。コンパレータ４４ｎは、コンパレータ４４ｉの出力を抵抗４４ｊ，コンデンサ４４ｋで平滑した略Ｈレベルの電圧Ｖｓ２と基準電圧Ｖｒｅｆ２とを比較し（図４（ｆ））、Ｌレベルの信号を出力する（図４（ｇ））。
【００４７】
次に、補助スイッチ２の切替判定部２２の出力がＨレベルとなって（図４（ｂ））、リレーの接点２４がオフ状態となると、点灯装置４への電源供給が遮断されて入力電圧はゼロとなり（図４（ｃ））、検出電圧Ｖｓ１，Ｖｓ２もゼロとなって、コンパレータ４４ｎはＨレベルの信号を出力する（図４（ｆ））。リレーの接点２４がオン状態となると、コンパレータ４４ｎはＬレベルの信号を再び出力する。
【００４８】
このように、交流電源Ｖａｃからの電源供給が導通状態であるか、あるいは遮断状態であるかをコンパレータ４４ｎで検出し、電源供給状態を制御回路４３に伝達することができる。
【００４９】
なお、コンデンサ４４ｄとして、アルミ電解コンデンサのような容量が大きな部品を使用することによって、交流電源Ｖａｃからの電源供給が遮断された場合でも、制御用電源Ｖｃｃは、制御回路４３と記憶回路４７に必要な電圧を所定期間だけ維持することができる。
【００５０】
また、記憶回路４７には、ランプＬａを交換して新品のランプを装着した場合に上記ランプ累積点灯時間をリセットするためのリセット条件回数Ｎｒも、ランプ累積点灯時間とともに記憶されており、以下、このランプ累積点灯時間のリセットを既存のスイッチである主スイッチ１で行う場合について、図５（ａ）〜（ｄ）を用いて説明する。
【００５１】
まず、図５（ａ）に示すステップ１において、ランプＬａが点灯装置４に取り付けられている状態で、主スイッチ１をオンすると（時間ｔ０）、制御回路４３は記憶回路４７からランプ累積点灯時間とともにリセット条件回数Ｎｒを読み出す。このとき、リセット条件回数Ｎｒは「０」が書き込まれているとする。制御回路４３は、リセット条件回数Ｎｒが「０」であるので、上述の初期照度補正動作を開始するとともに、制御回路４３に電源が供給されている電源供給時間Ｔｏｎ１の計時を行う。この電源供給時間Ｔｏｎ１の計時も、ランプ累積点灯時間と同様にカウンタ４６によって行われ、電源供給時間Ｔｏｎ１が予め制御回路４３に設定されている所定時間Ｔ１にまで達した場合、電源供給時間Ｔｏｎ１の計時を停止し、所定時間Ｔ１以降は初期照度補正動作を継続する。そして、主スイッチ１をオフすると（時間ｔ１）、記憶回路４７に、リセット条件回数Ｎｒ＝「０」を書き込む。電源回路４４への電源供給がなくなっても、電源回路４４の容量によって制御回路４３、記憶回路４７はある程度の時間は動作を継続できる。
【００５２】
次に、図５（ｂ）のステップ２に示すように、電源供給時間Ｔｏｎ１が所定時間Ｔ１に達する前に主スイッチ１をオフした場合（時間ｔ１’）、制御回路４３はリセット条件回数Ｎｒとして「１」を記憶回路４７に書き込む。そして、主スイッチ１を再度オンすると（時間ｔ２）、制御回路４３は記憶回路４７からランプ累積点灯時間とともにリセット条件回数Ｎｒ「１」を読み出し、初期照度補正動作を開始するとともに、制御回路４３に電源が供給されている電源供給時間Ｔｏｎ２の計時を行う。電源供給時間Ｔｏｎ２が予め制御回路４３に設定されている所定時間Ｔ２にまで達した場合、電源供給時間Ｔｏｎ２の計時を停止し、所定時間Ｔ２以降は初期照度補正動作を継続する。そして、主スイッチ１をオフすると（時間ｔ３）、記憶回路４７に、リセット条件回数Ｎｒ＝「０」を書き込む。
【００５３】
次に、図５（ｃ）のステップ３に示すように、電源供給時間Ｔｏｎ２が所定時間Ｔ２に達する前に主スイッチ１をオフした場合（時間ｔ３’）、制御回路４３はリセット条件回数Ｎｒとして「２」を記憶回路４７に書き込む。そして、主スイッチ１を再度オンすると（時間ｔ４）、制御回路４３は記憶回路４７からランプ累積点灯時間とともにリセット条件回数Ｎｒ「２」を読み出し、初期照度補正動作を開始するとともに、制御回路４３に電源が供給されている電源供給時間Ｔｏｎ３の計時を行う。電源供給時間Ｔｏｎ３が予め制御回路４３に設定されている所定時間Ｔ３にまで達した場合、電源供給時間Ｔｏｎ３の計時を停止し、所定時間Ｔ３以降は初期照度補正動作を継続する。そして、主スイッチ１をオフすると（時間ｔ５）、記憶回路４７に、リセット条件回数Ｎｒ＝「０」を書き込む。
【００５４】
次に、図５（ｄ）のステップ４に示すように、電源供給時間Ｔｏｎ３が所定時間Ｔ３に達する前に主スイッチ１をオフした場合（時間ｔ５’）、制御回路４３はリセット条件回数Ｎｒとして「３」を記憶回路４７に書き込む。そして、主スイッチ１を再度オンすると（時間ｔ６）、制御回路４３は記憶回路４７からランプ累積点灯時間とともにリセット条件回数Ｎｒ「３」を読み出す。ここで、制御回路４３は、予めリセット成立条件回数を「３」に設定しており、読み出したリセット条件回数Ｎｒに一致する。よって、制御回路４３は、ランプ累積点灯時間およびリセット条件回数Ｎｒを「０」にリセットして記憶回路４７に書き込む（時間ｔｒ１）。
【００５５】
このように、既存の主スイッチ１をオン・オフし、制御回路４３が電源供給の導通・遮断をカウントすることで、ランプ累積点灯時間をリセットすることができるが、主スイッチ１のオン・オフ操作の繰り返し回数、タイミング等が複雑となる。
【００５６】
しかし、本実施形態は、補助スイッチ２を用いて容易にランプ累積点灯時間をリセットできるものであり、以下説明する。
【００５７】
補助スイッチ２は、図６に示すように、操作部２１と、切替判定部２２と、タイマー部２３と、接点２４を具備したリレーとを備え、リレーの接点２４は、交流電源Ｖａｃ−照明器具３間の電源線に挿入される。また、図７に示すようにプレートＰから操作部２１が露出したプッシュ式のスイッチで構成され、切替判定部２２およびタイマー部２３は、汎用の４ビットマイコン等を用いれば容易に構成することができる。そして、通常はリレーの接点２４をオン状態にしておき、操作部２１を押下することで、図８に示す動作を行う。
【００５８】
まず、操作部２１を押下して１回オンすると（ステップＳ１）、切替判定部２２はタイマー部２３に計時動作をスタートさせ（ステップＳ２）、リレーの接点２４をオフ状態にする（ステップＳ３）。タイマー部２３は、操作部２１がオンされてからの時間を計時し、計時時間が所定の時間Ｔａを経過すると（ステップＳ４）、リレーの接点２４をオン状態にする（ステップＳ５）。さらに計時動作を継続し、計時時間が所定の時間Ｔｂ（＞Ｔａ）を経過すると（ステップＳ６）、切替判定部２２はタイマー部２３の計時動作をリセットするとともに（ステップＳ７）、内部のカウンタを１つカウントアップする（ステップＳ８）。そして、このカウント値を判定し（ステップＳ９）、カウント値が４未満であれば、ステップＳ２に戻ってタイマー部２３の計時動作を再度スタートさせて上記同様の接点２４のオフ・オン動作を繰り返し、カウント値が４であればカウンタをリセットして（ステップＳ１０）、ステップＳ１に戻って操作部２１がオンされるまで待機する。すなわち、補助スイッチ２は、操作部２１を１回オンするだけで、リレーの接点２４のオン・オフを４回繰り返して切り替えることができる。
【００５９】
そして、図５（ａ）〜（ｄ）の所定時間Ｔ１，Ｔ２，Ｔ３を、補助スイッチ２で設定される電源供給時間Ｔｂ−Ｔａより長い値に設定した場合、図９（ａ）〜（ｅ）に示すように、補助スイッチ２をオン・オフし、制御回路４３が電源供給の導通・遮断をカウントすることで検出した電源の導通・遮断の繰り返し動作が、補助スイッチ２のオン・オフ動作による電源の導通・遮断の繰り返し動作と一致する場合に、ランプ累積点灯時間をリセットすることができる。
【００６０】
すなわち、主スイッチ１をオンした状態で、補助スイッチ２の操作部２１を操作すると、交流電源Ｖａｃ−照明器具３間の電源線に挿入されたリレーの接点２４が、時間Ｔａのオフ状態を周期Ｔｂで４回繰り返し、このときの電源供給時間Ｔｂ−Ｔａは図５（ａ）〜（ｄ）の所定時間Ｔ１，Ｔ２，Ｔ３より短いので、４回目にリレーの接点２４がオンした時点ｔｒ２で、制御回路４３は記憶回路４７からランプ累積点灯時間とともにリセット条件回数Ｎｒ「３」を読み出す。そして、リセット条件回数Ｎｒが予め設定されているリセット成立条件回数「３」と一致するので、制御回路４３は、ランプ累積点灯時間をＡ時間から０時間にリセットするとともにリセット条件回数Ｎｒも「０」にリセットして、記憶回路４７に書き込む（時間ｔｒ２）。
【００６１】
このように、補助スイッチ２を１回操作するだけで、ランプ累積点灯時間を容易にリセットすることができる。
【００６２】
なお、本実施形態では交流電源Ｖａｃを用いているが直流電源であってもよく、さらに主スイッチ１および補助スイッチ２は片切りスイッチで構成しているが両切りスイッチであっても同様の効果を得ることができる。
【００６３】
また、交流電源Ｖａｃの引き込み口、補助スイッチ２、照明器具３の互いの距離が離れている場合、補助スイッチ２のリレーを照明器具３の近傍に配置し、切替判定部２２とリレーとを信号線で接続すると、交流電源Ｖａｃの引き込み口から照明器具３への配線を短くすることができ、施工性が向上するとともに、補助スイッチ２による照明器具３の遠隔操作も可能になる。
【００６４】
さらに、点灯装置４はチョッパ回路４１，インバータ回路４２を備えているが、本実施形態は、ランプ累積点灯時間のリセット動作を要旨とするものであって、ランプＬａを調光可能な点灯装置４であれば、同様の効果を得ることができる。
【００６５】
また、ランプ累積点灯時間のリセット動作のために、補助スイッチ２のオン・オフ繰り返し回数を４回、リセット成立条件回数を３回に設定しているが、これらの回数に限るものではない。
【００６６】
（実施形態２）
図１０，図１１は、本実施形態の照明システムで用いる主スイッチ１と補助スイッチ２の構成を示しており、他の構成は実施形態１と同様であって説明は省略する。
【００６７】
本実施形態では、主スイッチ１を補助スイッチ２の操作部２１の近傍に設け、切替判定部２２には主スイッチ１の出力も接続している。切替判定部２２は、主スイッチ１の状態も判定し、主スイッチ１がオン状態のときはリレーの接点２４をオン状態とし、主スイッチ１がオフ状態のときはリレーの接点２４をオフ状態に制御する。したがって、照明器具３への電源供給・遮断は全てリレーの接点２４によって切り替えることができ、交流電源Ｖａｃから照明器具３へ流れる電流が主スイッチ１の接点には流れなくなるため、主スイッチ１には定格電流の大きい接点が不要となる。つまり、定格電流が大きい接点は補助スイッチ２が備えていればよく、主スイッチ１を安価に構成することができる。
【００６８】
また、リレーの配置は、実施形態１と同様に照明器具３の近傍に配置すれば、簡易な構成で照明器具３の遠隔操作が可能となる。
【００６９】
（実施形態３）
本実施形態の照明システムで用いる補助スイッチ２の動作を図１２に示す。補助スイッチ２の構成は実施形態２と同様であり、照明器具３の構成は実施形態１と同様であって説明は省略する。
【００７０】
実施形態１，２において、補助スイッチ２の動作期間中に主スイッチ１が操作された場合、補助スイッチ２によるランプ点灯累積時間のリセット動作が中断され、リセットできない恐れがある。そこで、本実施形態では、補助スイッチ２の動作中には主スイッチ１によるオン・オフ動作を禁止し、補助スイッチ２の動作が確実に行われるようにした。
【００７１】
図１１に示す補助スイッチ２の構成で、主スイッチ１がオン状態で補助スイッチ２の操作部２１が操作された場合には、リレーの接点２４のオン・オフを繰り返して電源供給の導通・遮断を繰り返すが、切替判定部２２は、その動作期間中には主スイッチ１の操作による入力を無視して、リレーの接点２４を制御すればよい。
【００７２】
本実施形態の補助スイッチ２は図１２に示すように、まず、切替判定部２２が操作部２１の操作を判定し（ステップＳ２０）、操作部２１を押下して１回オンすると、主スイッチ１がオン状態であるか否かを判定し（ステップＳ２１）、主スイッチ１がオン状態であれば、切替判定部２２はタイマー部２３に計時動作をスタートさせ（ステップＳ２２）、リレーの接点２４をオフ状態にする（ステップＳ２３）。タイマー部２３は、操作部２１がオンされてからの時間を計時し、計時時間が所定の時間Ｔａを経過すると（ステップＳ２４）、リレーの接点２４をオン状態にする（ステップＳ２５）。さらに計時動作を継続し、計時時間が所定の時間Ｔｂ（＞Ｔａ）を経過すると（ステップＳ２６）、切替判定部２２はタイマー部２３の計時動作をリセットするとともに（ステップＳ２７）、内部のカウンタを１つカウントアップする（ステップＳ２８）。そして、このカウント値を判定し（ステップＳ２９）、カウント値が４未満であれば、ステップＳ２２に戻ってタイマー部２３の計時動作を再度スタートさせて上記同様の動作を繰り返し、カウント値が４であればカウンタをリセットする（ステップＳ３０）。
【００７３】
そして、ステップＳ３０でカウンタがリセットされる、あるいはステップＳ２０で操作部２１からの入力がなければ、主スイッチ１がオン状態であるか否かを判定する（ステップＳ３１）。ステップＳ２１あるいはステップＳ３１で主スイッチ１がオフ状態であれば、リレーの接点２４をオフ状態にし、ステップＳ３１で主スイッチ１がオン状態であれば、リレーの接点２４をオン状態にして、ステップＳ２０に戻って操作部２１がオンされるまで待機する。
【００７４】
上記動作によって、補助スイッチ２による電源供給の導通・遮断動作は、一旦開始されると、動作が完了するまで主スイッチ１の状態を判定することが無いため、この動作中に主スイッチ１をオフ操作してもリレーの接点２４による電源供給の導通・遮断動作が中断されることはなく、この導通・遮断動作の完了後にリレーの接点２４がオフされる。
【００７５】
したがって、補助スイッチ２を操作すれば、電源供給の導通・遮断動作が点灯装置４に確実に伝達されるため、ランプ累積点灯時間のリセットを確実に行なうことができる。
【００７６】
（実施形態４）
本実施形態の照明システムは、実施形態１において、ランプ累積点灯時間がランプＬａの定格時間を超えた場合に限り、ランプ累積点灯時間のリセット手段が機能するものであり、そのブロック構成は実施形態１と同様であって説明は省略する。
【００７７】
まず、ランプＬａが点灯装置４に取り付けられている状態で、主スイッチ１をオンすると、制御回路４３は記憶回路４７からランプ累積点灯時間を読み出す。このランプ累積点灯時間が予め設定されたランプＬａの定格時間よりも短ければ、以後は、ランプ累積点灯時間リセット動作を行わず、初期照度補正動作のみを行う。
【００７８】
ランプ累積点灯時間がランプＬａの定格時間よりも長ければ、制御回路４３は記憶回路４７からリセット条件回数Ｎｒを読み出す。このとき、リセット条件回数Ｎｒは「０」が書き込まれているとする。以後は実施形態１と同様のランプ累積点灯時間リセット動作を行う（図５参照）。
【００７９】
したがって、ランプ累積点灯時間が予め設定されたランプＬａの定格時間よりも短ければ、ランプ累積点灯時間はリセットされることはない。すなわち、ランプ累積点灯時間に依らず無条件にリセットされることはない。例えば、１つの補助スイッチ２を介して複数の照明器具３に電源を供給している場合には、定格寿命を超えたランプＬａが取り付けられている照明器具３のランプ累積点灯時間のみをリセットすることができ、新しいランプＬａが取り付けられている照明器具３についてはランプ累積点灯時間をリセットしないので、使用者は全てのランプＬａを定格寿命まで使用することができ、ランプＬａに要する費用を抑えることができる。
【００８０】
実施形態２，３においても上記同様の構成すれば、同様の効果を得ることができる。
【００８１】
（実施形態５）
図１３は、本実施形態の照明システムで用いる補助スイッチ２の構成を示しており、実施形態１乃至４の構成に報知部２５を設けたもので、他の構成は実施形態１乃至４いずれかと同様であって説明は省略する。
【００８２】
本実施形態の補助スイッチ２は、操作部２１の近傍に報知部２５を配置し、報知部２５は切替判定部２２によって制御される。報知部２５は、例えばＬＥＤ等を用いたモニタランプであり、切替判定部２２は、補助スイッチ２の操作によるランプ累積点灯時間のリセット動作が完了したときに、報知部２５であるＬＥＤに電流を流して所定時間点灯させ、リセット動作が完了した旨を視覚で報知する。
【００８３】
このような構成を採用することで、例えば、主スイッチ１の操作を誤ったとき、あるいは電源環境の異常等で照明器具３への電源供給が瞬間的に繰り返し遮断されたとしても、報知部２５のＬＥＤを見ればランプ累積点灯時間のリセットが完了したか否かを確認でき、システムとしての信頼性を向上させることができる。
【００８４】
なお、実施形態２と同様に主スイッチ１を補助スイッチ２の操作部２１の近傍に設けた場合の本実施形態の補助スイッチ２の外観を図１４に示す。
【００８５】
（実施形態６）
本実施形態では、実施形態５の報知部２５をブザー等の音声装置で構成したものである。ＬＥＤ等のモニタランプを用いた場合は、使用者が補助スイッチ２から離れたところにいる場合、モニタランプを確認することが困難となる。そこで、モニタランプの代わりにブザー等の音声装置を採用し、切替判定部２２は、補助スイッチ２の操作によるランプ累積点灯時間のリセット動作が完了したときに、ブザーを鳴動させる信号を報知部２５に出力して所定時間鳴動させ、リセット動作が完了した旨を音で報知する。
【００８６】
したがって、補助スイッチ２の操作によるランプ累積点灯時間のリセット動作完了を音によって確認できるため、補助スイッチ２から離れたところにいる使用者にもその旨を報知することができる。
【００８７】
（実施形態７）
実施形態１乃至６では、補助スイッチ２の操作をランプ累積点灯時間のリセットに利用したが、補助スイッチの操作に応じて照明器具３の明るさを複数段に変化させることも可能である。なお、本実施形態の照明システムのブロック構成は実施形態１と同様であって説明は省略する。
【００８８】
本実施形態では、図１５に示すように、補助スイッチ２の操作部２１を３ポジションのロータリースイッチで構成して主スイッチ１の近傍に設け、切替判定部２２は、操作部２１を回動させたときに、操作部２１のポジションに応じてリレーの接点２４のオン・オフ回数を互いに異なる回数に設定し、点灯装置４の制御回路４４では、電源供給の導通・遮断回数を検出し、この検出回数に応じてランプＬａに供給する電力を変化させれば、補助スイッチ２の操作に応じて照明器具３の明るさを変化させることができる。
【００８９】
補助スイッチ２は、通常はリレーの接点２４をオン状態にしておき、操作部２１を回動させることで、図１６に示す動作を行う。操作部２１のポジションを右からＸ１，Ｘ２，Ｘ３とすると、ポジションＸ１では全点灯（１００％点灯）、ポジションＸ２では調光１（５０％調光）、ポジションＸ３では調光２（２５％調光）の３段階に変化する。そして、切替判定部２２は内部にメモリを備えており、操作部２１のポジションに応じた指示値をそのメモリに格納する。具体的には、指示値として全点灯時は「３」、調光１時には「２」、調光２時には「１」をメモリに格納し、電源投入時には初期値として「０」をメモリに格納しておく。
【００９０】
そして、切替判定部２２は、操作部２１の現在の指示値を確認し（ステップＳ４０）、現在の指示値とメモリに格納されている指示値とを比較して、操作部２１のポジションに変更があったか否かを判定する（ステップＳ４１）。現在の指示値とメモリに格納されている指示値とが異なる場合には操作部２１のポジションが変更されたとして、照明器具３の明るさを以下のように変更する。また、電源投入時において、メモリには指示値として「０」が格納されているので、操作部２１の指示値とは一致せず、必ず照明器具３の明るさ変更処理が実行される。
【００９１】
切替判定部２２は、変更後のポジションがＸ１であれば全点灯であると判定して（ステップＳ４２）、リレーの接点２４のオン・オフ回数Ｎａを３に設定する（ステップＳ４３）。また、変更後のポジションがＸ２であれば５０％調光であると判定して（ステップＳ４４）、リレーの接点２４のオン・オフ回数Ｎａを４に設定する（ステップＳ４５）。また、変更後のポジションがＸ３であれば２５％調光であると判定して（ステップＳ４６）、リレーの接点２４のオン・オフ回数Ｎａを５に設定する（ステップＳ４７）。
【００９２】
そして、切替判定部２２はタイマー部２３に計時動作をスタートさせ（ステップＳ４８）、リレーの接点２４をオフ状態にする（ステップＳ４９）。タイマー部２３は、操作部２１のポジションが変更されてからの時間を計時し、計時時間が所定の時間Ｔａを経過すると（ステップＳ５０）、リレーの接点２４をオン状態にする（ステップＳ５１）。さらに計時動作を継続し、計時時間が所定の時間Ｔｂ（＞Ｔａ）を経過すると（ステップＳ５２）、切替判定部２２はタイマー部２３の計時動作をリセットするとともに（ステップＳ５３）、内部のカウンタを１つカウントアップする（ステップＳ５４）。そして、このカウント値を判定し（ステップＳ５５）、カウント値がステップＳ４３またはＳ４５またはＳ４７で設定したオン・オフ回数Ｎａ未満であれば、ステップＳ４８に戻ってタイマー部２３の計時動作を再度スタートさせて上記同様の動作を繰り返し、カウント値が設定したオン・オフ回数Ｎａであればカウンタをリセットして（ステップＳ５６）、ステップＳ４０に戻って操作部２１のポジション確認を行う。すなわち、補助スイッチ２は、リレーの接点２４を、操作部２１のポジションに応じた回数繰り返して切り替えることができる。
【００９３】
また、切替判定部２２が内部に備えるメモリにＥＥＰＲＯＭ等を用いれば、主スイッチ１の状態に関わらず、メモリに格納されたデータを保持することができるので、主スイッチ１をオン・オフする度に電源供給の導通・遮断が繰り返されて照明器具３が点滅し、使用者に不快感を与えることはなくなる。
【００９４】
そして、上記動作を行う補助スイッチ２を用いて、図１７（ａ）〜（ｄ），図１８（ａ）〜（ｄ），図１９（ａ）〜（ｄ）に示すように、照明器具３の明るさを変化させることができる。
【００９５】
まず、図１７（ａ）〜（ｄ）は全点灯から５０％調光に切り替える場合の動作を示し、主スイッチ１をオンし、補助スイッチ２の操作部２１をポジションＸ１にして全点灯させているときに、操作部２１をポジションＸ２に変更すると、交流電源Ｖａｃ−照明器具３間の電源線に挿入されたリレーの接点２４が、時間Ｔａのオフ状態を周期Ｔｂで４回繰り返し、制御回路４３は、内部のカウンタで実施形態１と同様に電源供給の導通・遮断回数をカウントし、このカウント値を記憶回路４７に書き込む。但し、実施形態１では、この導通・遮断時の電源供給時間が予め制御回路４３に設定されている所定時間にまで達した場合、カウント値を「０」にリセットしていたが、本実施形態では、所定時間を経過したときのカウント値を調光指示値として記憶回路４７に書き込む。そして、制御回路４３は、調光指示値を読み出し、調光指示値に応じてインバータ回路４２の発振周波数を決定する。この場合、調光指示値が４であるので、照明器具３の明るさが５０％になる発振周波数とする。
【００９６】
次に、図１８（ａ）〜（ｄ）は全点灯から２５％調光に切り替える場合の動作を示し、主スイッチ１をオンし、補助スイッチ２の操作部２１をポジションＸ１にして全点灯させているときに、操作部２１をポジションＸ３に変更すると、リレーの接点２４が、時間Ｔａのオフ状態を周期Ｔｂで５回繰り返し、制御回路４３は、内部のカウンタで実施形態１と同様に電源供給の導通・遮断回数をカウントし、このカウント値を記憶回路４７に書き込む。そして、制御回路４３は、調光指示値を読み出し、調光指示値が５であるので、インバータ回路４２の発振周波数を照明器具３の明るさが２５％になる周波数に設定する。
【００９７】
次に、図１９（ａ）〜（ｄ）は２５％調光から全点灯に切り替える場合の動作を示し、主スイッチ１をオンし、補助スイッチ２の操作部２１をポジションＸ３にして２５％調光させているときに、操作部２１をポジションＸ１に変更すると、リレーの接点２４が、時間Ｔａのオフ状態を周期Ｔｂで３回繰り返し、制御回路４３は、内部のカウンタで実施形態１と同様に電源供給の導通・遮断回数をカウントし、このカウント値を記憶回路４７に書き込む。そして、制御回路４３は、調光指示値を読み出し、調光指示値が３であるので、インバータ回路４２の発振周波数を照明器具３の明るさが１００％になる周波数に設定する。
【００９８】
このように、本実施形態では簡易な構成で照明器具３の明るさを変化させることができ、省エネ効果を期待できる照明システムを提供することができる。
【００９９】
また、実施形態１乃至６では、ランプＬａは放電灯であり、点灯装置４は初期照度補正機能を内蔵したものであったが、本実施形態において、点灯装置４は、所望の明るさが得られるようにランプＬａへの供給電力を可変とするものであればどのような構成でもよく、初期照度補正機能を内蔵する必要はない。さらに、ランプＬａは放電灯である必要はなく、白熱灯や発光ダイオード（ＬＥＤ）であってもよく、供給電力の変化に伴って光出力が変化するものであればどのような光源でもよい。
【０１００】
さらに本実施形態では、明るさの設定を３段階としているが、他の段階数、例えば４段階以上であってもよい。
【０１０１】
（実施形態８）
実施形態７の照明システムは、電源供給の導通・遮断回数によって、照明器具３の明るさを切り替えていたが、本実施形態では電源供給の導通・遮断時の電源遮断時間を変化させることによって、照明器具３の明るさを切り替えるものである。以下、実施形態７と同様に全点灯、５０％調光（調光１）、２５％調光（調光２）の３段階に切り替える場合について説明する。
【０１０２】
切替判定部２２では、操作部２１のポジションに変化があると、リレーの接点２４に対して、時間Ｔａのオフ状態を周期Ｔｂで３回繰り返すように制御するが、この遮断時間Ｔａを操作部２１の指示値（操作部２１のポジション）に応じてＴａ１，Ｔａ２，Ｔａ３（Ｔａ１＜Ｔａ２＜Ｔａ３）の３段階に設定可能であり、図２２（ａ）〜（ｄ）に示すように操作部２１のポジションを全点灯に切り替えれば遮断時間Ｔａ１、図２０（ａ）〜（ｄ）に示すように調光１に切り替えれば遮断時間Ｔａ２、図２１（ａ）〜（ｄ）に示すように調光２に切り替えれば遮断時間Ｔａ３となるように、タイマー部２３の設定時間を切り替える。
【０１０３】
そして、点灯装置４には、遮断時間を計時するタイマ回路を設け、計時した遮断時間を記憶回路４７に書き込む。制御回路４３は、遮断時間が３回ともＴａ１の場合、インバータ回路４２の発振周波数を照明器具３の明るさが１００％になる周波数に設定し、遮断時間が３回ともＴａ２の場合、インバータ回路４２の発振周波数を照明器具３の明るさが５０％になる周波数に設定し、遮断時間が３回ともＴａ３の場合、インバータ回路４２の発振周波数を照明器具３の明るさが２５％になる周波数に設定する。遮断時間がＴａ１，Ｔａ２，Ｔａ３以外の場合は、照明器具３の明るさを変化させずに現状の状態を維持する。さらに、３回の遮断時間が互いに異なる場合や、遮断回数が３回に足りない場合も、補助スイッチ２以外の動作によるものと考えて、照明器具３の明るさを変化させずに現状の状態を維持する。
【０１０４】
本実施形態では、実施形態７と同様の効果を期待でき、さらには供給電源の導通・遮断動作が補助スイッチ２によるものか否かを、遮断時間と遮断回数との両方で判断できるため、誤動作する恐れが少なくなり、より信頼性を高めることができる。
【０１０５】
（実施形態９）
実施形態７の照明システムは、電源供給の導通・遮断回数によって、照明器具３の明るさを切り替えていたが、本実施形態では電源供給の導通・遮断時の電源導通時間を変化させることによって、照明器具３の明るさを切り替えるものである。以下、実施形態７と同様に全点灯、５０％調光（調光１）、２５％調光（調光２）の３段階に切り替える場合について説明する。
【０１０６】
切替判定部２２では、操作部２１のポジションに変化があると、リレーの接点２４に対して、時間Ｔａのオフ状態を周期Ｔｂで３回繰り返すように制御するが、この導通時間Ｔｃ＝（Ｔｂ−Ｔａ）を操作部２１の指示値（操作部２１のポジション）に応じてＴｃ１，Ｔｃ２，Ｔｃ３（Ｔｃ１＜Ｔｃ２＜Ｔｃ３）の３段階に設定可能であり、図２５（ａ）〜（ｄ）に示すように操作部２１のポジションを全点灯に切り替えれば導通時間Ｔｃ１、図２３（ａ）〜（ｄ）に示すように調光１に切り替えれば導通時間Ｔｃ２、図２４（ａ）〜（ｄ）に示すように調光２に切り替えれば導通時間Ｔｃ３となるように、タイマー部２３の設定時間を切り替える。
【０１０７】
そして、点灯装置４には、導通時間を計時するタイマ回路を設け、計時した導通時間を記憶回路４７に書き込む。制御回路４３は、導通時間が２回ともＴｃ１の場合、インバータ回路４２の発振周波数を照明器具３の明るさが１００％になる周波数に設定し、導通時間が２回ともＴｃ２の場合、インバータ回路４２の発振周波数を照明器具３の明るさが５０％になる周波数に設定し、導通時間が２回ともＴｃ３の場合、インバータ回路４２の発振周波数を照明器具３の明るさが２５％になる周波数に設定する。導通時間がＴｃ１，Ｔｃ２，Ｔｃ３以外の場合は、照明器具３の明るさを変化させずに現状の状態を維持する。さらに、２回の導通時間が互いに異なる場合や、導通回数が２回に足りない場合も、補助スイッチ２以外の動作によるものと考えて、照明器具３の明るさを変化させずに現状の状態を維持する。
【０１０８】
本実施形態では、実施形態７と同様の効果を期待でき、さらには供給電源の導通・遮断動作が補助スイッチ２によるものか否かを、導通時間と導通回数との両方で判断できるため、誤動作する恐れが少なくなり、より信頼性を高めることができる。
【０１０９】
（実施形態１０）
蛍光灯は、管内に塗布される蛍光体の配合によって光色を変化させている。例えば、直管の高周波点灯専用型蛍光灯ＦＨＦ３２の場合、３波長域発光形昼白色（ＥＸ−Ｎ）、３波長域発光形昼光色（ＥＸ−Ｄ）、３波長域発光形電球色（ＥＸ−Ｌ）等、複数の光色が存在する。これら蛍光灯の光束減退特性は、蛍光体の配合が互いに異なることから、ランプＬａに蛍光灯を用いた場合、図２６に示すように、光色が互いに異なる蛍光灯Ｌａ１，Ｌａ２，Ｌａ３によって若干変化する。つまり、光束減退特性が互いに異なる蛍光灯に対して同一の照度補正制御を行うと、互いに異なる光束で点灯することになり、蛍光灯によっては所定の光束とは異なってしまう場合がある。この光色の違いによる照度補正制御のずれを小さくするには、光色によって照度補正カーブを変更する必要がある。しかし、蛍光灯の光色が変わっても、ランプ電圧やランプ電流等の電気的特性は変化しないため、点灯装置４の点灯特性から蛍光灯の光色を判断することは不可能である。
【０１１０】
そこで、本実施形態では、蛍光灯の光色の違いによる照度補正制御のずれを補助スイッチ２の操作によって補正可能とする。ここでは、補助スイッチ２による電源供給の導通・遮断動作条件によって点灯装置４の照度補正カーブを変更すればよいため、補助スイッチ２の構成は実施形態７と同様でよく、点灯装置４の構成は実施形態７の構成に実施形態１の初期照度補正機能を付加したものとなる。
【０１１１】
３ポジションのロータリースイッチで構成した補助スイッチ２の操作部２１を回動させたときに、切替判定部２２は、操作部２１のポジションに応じてリレーの接点２４のオン・オフ回数を互いに異なる回数に設定する。
【０１１２】
点灯装置４では、記憶回路４７に各光色に対応した照度補正カーブを格納しておき、制御回路４４では、操作部２１操作時の電源供給の導通・遮断回数を検出し、この検出回数に対応した照度補正カーブを記憶回路４７から読み出して、この照度補正カーブに沿って照度補正制御を行う。すなわち、蛍光灯の光色に応じて操作部２１を操作することで、光色の違いによる照度補正制御のずれを小さくすることができる。
【０１１３】
したがって、照明器具３で使用している蛍光灯の光色に応じて照度補正カーブを選択することができ、よりきめ細かい最適な照度補正制御を行なうことができる。
【０１１４】
また、本実施形態では、電源供給の導通・遮断回数によって照度補正カーブを切り替えるが、実施形態８または９と同様に電源遮断時間または電源導通時間によって照度補正カーブを切り替えてもよい。
【０１１５】
（実施形態１１）
近年、放電灯点灯装置の分野では、種類の異なる複数の放電灯を１台の放電灯点灯装置で点灯可能としたランプフリーと呼ばれる装置が提供されている。例えば、ランプ形状や定格電力が似ている直管形４０W系のＦＬ４０，ＦＬＲ４０、およびＦＨＦ３２のランプを同一の点灯装置で点灯可能なものがある。
【０１１６】
しかし、このようなランプフリーの点灯装置で照度補正制御を行う場合、ランプの種類が異なると、実施形態１０と同様、図２６に示すように光束減退特性が変わるため、照度補正制御にずれが生じることになる。
【０１１７】
そこで、本実施形態では、上記ランプフリー形の点灯装置４を用い、記憶回路４７に適合可能な全てのランプＬａの照度補正カーブを格納して、ランプ種類の違いによる照度補正制御のずれを補助スイッチ２の操作によって補正可能とする。ここでは、補助スイッチ２による電源供給の導通・遮断動作条件によって点灯装置４の照度補正カーブを変更すればよいため、補助スイッチ２の構成は実施形態７と同様でよく、点灯装置４の構成は実施形態７の構成に実施形態１の初期照度補正機能を付加したものとなる。
【０１１８】
３ポジションのロータリースイッチで構成した補助スイッチ２の操作部２１を回動させたときに、切替判定部２２は、操作部２１のポジションに応じてリレーの接点２４のオン・オフ回数を互いに異なる回数に設定する。
【０１１９】
点灯装置４の制御回路４４では、操作部２１操作時の電源供給の導通・遮断回数を検出し、この検出回数に対応した照度補正カーブを記憶回路４７から読み出して、この照度補正カーブに沿って照度補正制御を行う。すなわち、ランプ種類に応じて操作部２１を操作することで、ランプ種類の違いによる照度補正制御のずれを小さくすることができる。
【０１２０】
したがって、照明器具３で使用しているランプ種類に応じて照度補正カーブを選択することができ、よりきめ細かい最適な照度補正制御を行なうことができる。
【０１２１】
また、本実施形態では、電源供給の導通・遮断回数によって照度補正カーブを切り替えるが、実施形態８または９と同様に電源遮断時間または電源導通時間によって照度補正カーブを切り替えてもよい。
【０１２２】
（実施形態１２）
初期照度補正制御の照度補正値は、通常の使用環境の保守率が０．７であることから、通常７０％に設定される。つまり、点灯装置４は、ランプ点灯初期の定格光束に対して７０％の光束になるようにランプＬａへの供給電力を制御する。しかし、使用環境によっては保守率を０．７より小さい値で照明設計している環境があり、そのような条件では、照度補正値をさらに下げることができる。例えば、図２７に示すように、照度補正値を７０％（ランプ光束特性Ｙｆ１）から６０％（ランプ光束特性Ｙｆ２）に下げた場合、ランプ電力特性Ｙｐ１からランプ電力特性Ｙｐ２として、ランプＬａに供給される電力も下げることができ、ランプＬａの消費電力を削減して省エネ効果を高めることが可能となる。
【０１２３】
そこで、本実施形態では、照明器具３が設置された使用環境等による照度補正制御のずれを補助スイッチ２の操作によって補正可能とする。ここでは、補助スイッチ２による電源供給の導通・遮断動作条件によって点灯装置４の照度補正カーブを変更すればよいため、補助スイッチ２の構成は実施形態７と同様でよく、点灯装置４の構成は実施形態７の構成に実施形態１の初期照度補正機能を付加したものとなる。
【０１２４】
３ポジションのロータリースイッチで構成した補助スイッチ２の操作部２１を回動させたときに、切替判定部２２は、操作部２１のポジションに応じてリレーの接点２４のオン・オフ回数を互いに異なる回数に設定する。
【０１２５】
点灯装置４では、記憶回路４７に各使用環境の照度補正値に対応した照度補正カーブを格納しておき、制御回路４４では、操作部２１操作時の電源供給の導通・遮断回数を検出し、この検出回数に対応した照度補正カーブを記憶回路４７から読み出して、この照度補正カーブに沿って照度補正制御を行う。すなわち、使用環境の照度補正値に応じて操作部２１を操作することで、使用環境の照度補正値の違いによる照度補正制御のずれを小さくすることができる。
【０１２６】
したがって、照明器具３の使用環境の照度補正値に応じて照度補正カーブを選択することができ、よりきめ細かい最適な照度補正制御を行なうことができ、省エネ効果を高めることが可能となる。
【０１２７】
また、上記同様の構成で、使用環境において絶対照度が不足するような条件であった場合に、照度補正値を大きくする（例えば、照度補正値を７０％よりも大きい値）ことによって必要な照度を確保して、使用者の不快感を無くすとともに、その環境に応じた初期照度補正が可能となり、省エネ効果も発揮することができる。
【０１２８】
さらに、本実施形態では、照度補正値を２段階に切り替えているが、３段以上に設定すればよりきめ細かい初期照度補正が可能になる。
【０１２９】
また、本実施形態では、電源供給の導通・遮断回数によって照度補正カーブを切り替えるが、実施形態８または実施形態９と同様に電源遮断時間または電源導通時間によって照度補正カーブを切り替えてもよい。
【０１３０】
（実施形態１３）
実施形態１〜１２は補助スイッチ２の動作が周期的にリレーの接点２４のオン・オフを繰り返すだけのものであり、電源供給が遮断されている間は制御用電源Ｖｃｃが生成されず、図３に示す電源回路４４は、電源供給遮断時に必要な電源容量をコンデンサ４４ｄに蓄えておかなければならないため、補助スイッチ２による交流電源Ｖａｃの遮断時間が長くなるほど、コンデンサ４４ｄの容量を大きくしなければならず、点灯装置４の小型化には不利であった。
【０１３１】
そこで、本実施形態では、図２８に示すように、補助スイッチ２に位相制御回路２６を設けたもので、リレーの接点２４がオフ状態の間は、交流電源Ｖａｃからの入力を位相制御した電圧を点灯装置４に供給することによって、補助スイッチ２のオン・オフによる電源状態の変化を確実に検出し、且つ補助スイッチ２がオフしている間の制御用電源Ｖｃｃの確保も容易に行うことができるものである。
【０１３２】
以下、図２８，図２９（ａ）〜（ｇ）を用いて、本実施形態の動作について説明する。補助スイッチ２は、リレーの接点２４と並列に位相制御回路２６を接続したものであり、位相制御回路２６は、リレーの接点２４に並列接続されたトライアック２６ａ、ダイオード２６ｃと抵抗２６ｄとの直列回路、コンデンサ２６ｆと可変抵抗２６ｇと抵抗２６ｈとの直列回路、ダイオード２６ｊと抵抗２６ｋとの直列回路と、コンデンサ２６ｆと可変抵抗２６ｇとの接続中点とトライアック２６ａの制御端子との間に接続されたダイアック（トリガダイオード）２６ｂと、ダイオード２６ｃと抵抗２６ｄとの接続中点とコンデンサ２６ｆと可変抵抗２６ｇとの接続中点との間に接続されるダイオード２６ｅと、コンデンサ２６ｆと可変抵抗２６ｇとの接続中点とダイオード２６ｊと抵抗２６ｋとの接続中点との間に接続されるダイオード２６ｉとから構成される。
【０１３３】
そして、補助スイッチ２が操作されてリレーの接点２４がオフ状態になると、位相制御回路２６には交流電源Ｖａｃの電圧（図２９（ａ））が印加され（ここでは、正極性とする）、コンデンサ２６ｆに可変抵抗２６ｇ，抵抗２６ｈを介して電荷が供給される。コンデンサ２６ｆの電圧がダイアック２６ｂのブレークオーバ電圧を超えると、ダイアック２６ｂが導通状態となる。ダイアック２６ｂが導通状態となると、トライアック２６ａにトリガ電流が供給され、トライアック２６ａが導通状態となって順方向電流を流すことが可能となり、コンデンサ２６ｆに充電された電荷は、トライアック２６ａ、抵抗２６ｋ、ダイオード２６ｉを介して放電され、次のトリガタイミングが一定となるようにしている。トライアック２６ａは一度導通状態になると、交流電源Ｖａｃの極性が反転して順方向電流がなくなるまで導通状態を継続する。
【０１３４】
交流電源Ｖａｃの極性が負になると、トライアック２６ａは一度遮断状態となり、コンデンサ２６ｆに再度電荷が供給される。このとき、コンデンサ２６ｆには、交流電源Ｖａｃの極性が正の場合とは逆方向の電荷が供給されることになるが、トライアック２６ａ，ダイアック２６ｂともに双方向に極性を持った素子であるため、交流電源Ｖａｃの極性が正である場合と同様に、コンデンサ２６ｆの電圧がダイアック２６ｂのブレークオーバ電圧を超えると、ダイアック２６ｂが導通状態となり、トライアック２６ａも導通状態となる。
【０１３５】
したがって、交流電源Ｖａｃの供給時に（図２９（ａ）参照）、補助スイッチ２が操作されて補助スイッチ２の切替判定部２２の出力がＨレベルとなり（図２９（ｂ））、リレーの接点２４がオフ状態になると、上記動作を繰り返すことによって、位相制御された電圧を点灯装置４へ供給する（図２９（ｃ））。電源が遮断される位相角は、トライアック２６ａがトリガされるタイミングによって決まるため、コンデンサ２６ｆの充電電圧の立ち上がりを変化させることによって位相角を変えることができる。つまり、可変抵抗２６ｇの抵抗値を小さくすればコンデンサ２６ｆの充電電圧の立ち上がりが速くなって位相角が小さくなり、可変抵抗２６ｇの抵抗値を大きくすればコンデンサ２６ｆの充電電圧の立ち上がりが遅くなって位相角が大きくなる。このように可変抵抗２６ｇによって位相角を調整できるが、この調整機能が必要ない場合は可変抵抗２６ｇを省いて抵抗２６ｈのみで位相角を設定してもよい。
【０１３６】
リレーの接点２４がオフ状態となって、点灯装置４に図２９（ｃ）に示す位相制御電圧が供給される場合、電源回路４４のコンパレータ４４ｉは整流回路４０によって全波整流された位相制御電圧が入力され（図２９（ｄ））、その位相制御電圧を抵抗４４ｅ，４４ｆで分圧した検出電圧Ｖｓ１と基準電圧Ｖｒｅｆ１とを比較し（図２９（ｄ））、その出力は、検出電圧Ｖｓ１が基準電圧Ｖｒｅｆ１より大きい期間だけＨレベルとなる交流電源Ｖａｃの位相に同期した矩形波信号となる（図２９（ｅ））。
【０１３７】
図２９（ｅ）に示す矩形波信号は、リレーの接点２４のオフ時において、リレーの接点２４がオンであるときに比べて、電源が遮断される位相角の分だけＬレベルの時間が長くなり、コンパレータ４４ｉの出力を抵抗４４ｊ，コンデンサ４４ｋで平滑した電圧Ｖｓ２は低くなる。したがって、コンパレータ４４ｎの基準電圧Ｖｒｅｆ２を、リレーの接点２４がオン時の電圧Ｖｓ２とオフ時の電圧Ｖｓ２との中間の電圧に設定すれば（図２９（ｆ））、コンパレータ４４ｎによってリレーの接点２４の状態を判定可能となり（図２９（ｇ））、点灯装置４で補助スイッチ２の動作を確実に検出することができる。
【０１３８】
また、電源回路４４には、リレーの接点２４がオフ状態であっても、図２９（ｄ）に示す整流された位相制御電圧が供給されるため、実施形態１〜１２のように電源供給が完全に遮断される場合に比べて、制御用電源Ｖｃｃを生成するのに必要な電源を容易に供給することができ、電源回路４４の小型化を図ることができる。
【０１３９】
また、電源回路４４のコンパレータ４４ｎの基準電圧Ｖｒｅｆ２を切替可能に複数設け、さらに可変抵抗２６ｇの抵抗値を変化させることによる位相角の変化に応じて電圧Ｖｓ２を変化させることによって、実施形態７〜１２に示す調光モードの切替や、照度補正の切替を行なうことができる。
【０１４０】
なお、本実施形態の補助スイッチ２を実施形態１〜１２に用いても実施形態１〜１２と同様の効果を奏することができる。
【０１４１】
（実施形態１４）
実施形態１３では、補助スイッチ２の接点２４がオフ状態の間、位相制御電圧が電源回路４４に供給されているが、位相制御電圧でなく半波整流電圧を供給しても同様の効果を得ることができる。
【０１４２】
そこで、本実施形態では、図３０に示すように、補助スイッチ２の接点２４にダイオード２７を並列接続したもので、リレーの接点２４がオフ状態の間は、交流電源Ｖａｃからの入力を半波整流した電圧を点灯装置４に供給することによって、補助スイッチ２のオン・オフによる電源状態の変化を確実に検出し、且つ補助スイッチ２がオフしている間の制御用電源Ｖｃｃの確保も容易に行うことができるものである。
【０１４３】
以下、図３１（ａ）〜（ｇ）を用いて、本実施形態の動作について説明する。まず、交流電源Ｖａｃの供給時に（図３１（ａ）参照）、補助スイッチ２が操作されて補助スイッチ２の切替判定部２２の出力がＨレベルとなり（図３１（ｂ））、リレーの接点２４がオフ状態となると、交流電源Ｖａｃをダイオード２７によって半波整流した電圧を点灯装置４へ供給する（図３１（ｃ））。
【０１４４】
リレーの接点２４が遮断状態となって、点灯装置４に図３１（ｃ）に示す半波整流電圧が供給される場合、電源回路４４のコンパレータ４４ｉにも半波整流電圧が入力され（図３１（ｄ））、その半波整流電圧を抵抗４４ｅ，４４ｆで分圧した検出電圧Ｖｓ１と基準電圧Ｖｒｅｆ１とを比較し（図３１（ｄ））、その出力は、検出電圧Ｖｓ１が基準電圧Ｖｒｅｆ１より大きい期間だけＨレベルとなる矩形波信号となる（図３１（ｅ））。
【０１４５】
図３１（ｅ）に示す矩形波信号は、リレーの接点２４のオフ時において、リレーの接点２４がオンであるときに比べて、交流電源Ｖａｃの半サイクル分だけＬレベルの時間が長くなり、コンパレータ４４ｉの出力を抵抗４４ｊ，コンデンサ４４ｋで平滑した電圧Ｖｓ２は低くなる。したがって、コンパレータ４４ｎの基準電圧Ｖｒｅｆ２を、リレーの接点２４がオン時の電圧Ｖｓ２とオフ時の電圧Ｖｓ２との中間の電圧に設定すれば（図３１（ｆ））、コンパレータ４４ｎによってリレーの接点２４の状態を判定可能となり（図３１（ｇ））、点灯装置４で補助スイッチ２の動作を確実に検出することができる。
【０１４６】
また、電源回路４４には、リレーの接点２４がオフ状態であっても、図３１（ｄ）に示す半波整流電圧が供給されるため、実施形態１〜１２のように電源供給が完全に遮断される場合に比べて、制御用電源Ｖｃｃを生成するのに必要な電源を容易に供給することができる。
【０１４７】
また、ダイオード２７を付加するだけなので、実施形態１３よりも簡易な構成で電源回路４４のさらなる小型化を図ることができる。
【０１４８】
なお、本実施形態の補助スイッチ２を実施形態１〜１２に用いても実施形態１〜１２と同様の効果を奏することができる。
【０１４９】
（実施形態１５）
本実施形態は、補助スイッチ２のオン・オフに応じて点灯装置４に供給する電圧の振幅を変動させることにより、点灯装置４で補助スイッチ２の動作を確実に検出し、且つ電源遮断中においても制御用電源Ｖｃｃの生成を容易に行うものである。
【０１５０】
図３２に示すように、補助スイッチ２は、巻数比１：１の電源トランス２８、および２つの接点２４ａ，２４ｂを具備したリレーを備えており、電源トランス２８の１次巻線ｎ１は主スイッチ１を介して交流電源Ｖａｃが接続される。電源トランス２８の２次巻線ｎ２はリレーの接点２４ａ，２４ｂを介して照明器具３に接続され、２次巻線ｎ２の一端に設けたタップは接点２４ａに接続され、２次巻線ｎ２の中点に設けたタップは接点２４ｂに接続され、２次巻線ｎ２の他端は照明器具３に直接接続される。
【０１５１】
以下、図３３（ａ）〜（ｇ）を用いて、本実施形態の動作について説明する。まず、交流電源Ｖａｃの供給時に（図３３（ａ）参照）、補助スイッチ２が操作されて補助スイッチ２の切替判定部２２の出力がＨレベルになると（図３３（ｂ））、接点２４ａ，２４ｂが交互に切り替わり、接点２４ｂに切り替えたときの点灯装置４（照明器具３）に供給される電圧は、接点２４ａに切り替えたときの１／２の電圧となる（図３３（ｃ））。このような電圧が点灯装置４に供給されると、電源回路４４の検出電圧Ｖｓ１も接点２４ｂに切り替えたときは接点２４ａに切り替えたときの１／２となる。このとき、コンパレータ４４ｉの基準電圧Ｖｒｅｆ１を、接点２４ｂ切替時の検出電圧Ｖｓ１のピーク値よりも高く、且つ接点２４ａ切替時の検出電圧Ｖｓ１よりも低く設定すれば（図３３（ｄ））、コンパレータ４４ｉの出力は接点２４ｂ切替時にＬレベルとなり（図３３（ｅ））、後はコンパレータ４４ｎによってリレーの接点２４ａ，２４ｂの状態を判定可能となり（図３３（ｆ）（ｇ））、点灯装置４で補助スイッチ２の動作を確実に検出することができる。
【０１５２】
また、電源回路４４には、リレーの接点２４の動作中でも、通常の１／２の電圧が供給されるため、実施形態１〜１２のように電源供給が完全に遮断される場合に比べて、制御用電源Ｖｃｃを生成するのに必要な電源を容易に供給することができる。
【０１５３】
また、補助スイッチ２が動作中の電源供給を通常の電圧の１／２としているが、補助スイッチ２の動作を確実に検出でき、且つその間の制御用電源Ｖｃｃが確実に供給可能な電圧であれば１／２に限定するものではなく、逆に補助スイッチ２が動作中の電圧を通常時より高くしてもよい。
【０１５４】
なお、本実施形態の補助スイッチ２を実施形態１〜１２に用いても実施形態１〜１２と同様の効果を奏することができる。
【図面の簡単な説明】
【０１５５】
【図１】本発明の実施形態１の照明システムの構成を示す図である。
【図２】同上の照明器具の外観を示す分解斜視図である。
【図３】同上の点灯装置の回路構成を示す図である。
【図４】（ａ）〜（ｇ）同上の各部の波形を示す図である。
【図５】（ａ）〜（ｄ）同上のランプ累積点灯時間のリセット動作時の電源状態を示す図である。
【図６】同上の補助スイッチのブロック構成を示す図である。
【図７】同上の補助スイッチの外観を示す図である。
【図８】同上の補助スイッチの動作をフローチャートで示す図である。
【図９】（ａ）〜（ｅ）同上のランプ累積点灯時間のリセット動作を示す図である。
【図１０】本発明の実施形態２の主スイッチ、補助スイッチの外観を示す図である。
【図１１】同上の主スイッチ、補助スイッチのブロック構成を示す図である。
【図１２】本発明の実施形態３の補助スイッチの動作をフローチャートで示す図である。
【図１３】本発明の実施形態５の補助スイッチのブロック構成を示す図である。
【図１４】同上の主スイッチ、補助スイッチの外観を示す図である。
【図１５】本発明の実施形態７の補助スイッチの外観示す図である。
【図１６】同上の補助スイッチの動作をフローチャートで示す図である。
【図１７】（ａ）〜（ｄ）同上の全点灯から調光１への調光動作を示す図である。
【図１８】（ａ）〜（ｄ）同上の全点灯から調光２への調光動作を示す図である。
【図１９】（ａ）〜（ｄ）同上の調光２から全点灯への調光動作を示す図である。
【図２０】（ａ）〜（ｄ）本発明の実施形態８の全点灯から調光１への調光動作を示す図である。
【図２１】（ａ）〜（ｄ）同上の全点灯から調光２への調光動作を示す図である。
【図２２】（ａ）〜（ｄ）同上の調光２から全点灯への調光動作を示す図である。
【図２３】（ａ）〜（ｄ）本発明の実施形態９の全点灯から調光１への調光動作を示す図である。
【図２４】（ａ）〜（ｄ）同上の全点灯から調光２への調光動作を示す図である。
【図２５】（ａ）〜（ｄ）同上の調光２から全点灯への調光動作を示す図である。
【図２６】本発明の実施形態１０の光色が異なる蛍光灯の各光束減退特性を示す図である。
【図２７】本発明の実施形態１２の照度補正値が異なる場合の光束特性、電力特性を示す図である。
【図２８】本発明の実施形態１３の補助スイッチの回路構成を示す図である。
【図２９】（ａ）〜（ｇ）同上の各部の波形を示す図である。
【図３０】本発明の実施形態１４の補助スイッチの回路構成を示す図である。
【図３１】（ａ）〜（ｇ）同上の各部の波形を示す図である。
【図３２】本発明の実施形態１５の補助スイッチの回路構成を示す図である。
【図３３】（ａ）〜（ｇ）同上の各部の波形を示す図である。
【符号の説明】
【０１５６】
Ｖａｃ  交流電源
１  主スイッチ
２  補助スイッチ
３  照明器具
４  点灯装置
４０  整流回路
４１  チョッパ回路
４２  インバータ回路
４３  制御回路
４４  電源回路
４６  カウンタ
４７  記憶回路
Ｌａ  ランプ
【図１】
2007005256.tif 000003
【図２】
2007005256.tif 000004
【図３】
2007005256.tif 000005
【図４】
2007005256.tif 000006
【図５】
2007005256.tif 000007
【図６】
2007005256.tif 000008
【図７】
2007005256.tif 000009
【図８】
2007005256.tif 000010
【図９】
2007005256.tif 000011
【図１０】
2007005256.tif 000012
【図１１】
2007005256.tif 000013
【図１２】
2007005256.tif 000014
【図１３】
2007005256.tif 000015
【図１４】
2007005256.tif 000016
【図１５】
2007005256.tif 000017
【図１６】
2007005256.tif 000018
【図１７】
2007005256.tif 000019
【図１８】
2007005256.tif 000020
【図１９】
2007005256.tif 000021
【図２０】
2007005256.tif 000022
【図２１】
2007005256.tif 000023
【図２２】
2007005256.tif 000024
【図２３】
2007005256.tif 000025
【図２４】
2007005256.tif 000026
【図２５】
2007005256.tif 000027
【図２６】
2007005256.tif 000028
【図２７】
2007005256.tif 000029
【図２８】
2007005256.tif 000030
【図２９】
2007005256.tif 000031
【図３０】
2007005256.tif 000032
【図３１】
2007005256.tif 000033
【図３２】
2007005256.tif 000034
【図３３】
2007005256.tif 000035